(57)【要約】      （修正有）【課題】選別運転終了後、揺動選別板上の残留穀粒を迅速に排出することができる石抜機の提供。【解決手段】複数の多孔選別板３、１２を傾斜状態で配設するとともに、多孔選別板３、１２の下方に送風機１５、１６を配設し、多孔選別板３、１２を揺動させるとともに、送風機１５、１６から多孔選別板３、１２に風を送り込むことにより、多孔選別板３、１２上に供給される原料を選別する石抜機１において、多孔選別板３、１２が、一次選別板３と二次選別板１２と残留排出用のバイパス通路１２aとを有するとともに、一次選別板３と二次選別板１２との間は連絡通路８を介して連通させ、二次選別板１２の下段に、バイパス通路１２aを重設する石抜機１。【選択図】図１
2019025411.tif 000002
【特許請求の範囲】
【請求項１】
複数の多孔選別板を傾斜状態で配設するとともに、前記多孔選別板の下方に送風機を配設し、前記多孔選別板を揺動させるとともに、前記送風機から前記多孔選別板に風を送り込むことにより、前記多孔選別板上に供給される原料を選別する石抜機において、
前記多孔選別板は、一次選別板と二次選別板と残留排出用のバイパス通路とを有するとともに、前記一次選別板と前記二次選別板との間は連絡通路を介して連通させ、前記二次選別板の下段に、前記バイパス通路を重設したことを特徴とする石抜機。
【請求項２】
前記二次選別板には、前記一次選別板から供給された原料を石排出口へ排出するか、前記バイパス通路へ供給するかを切換可能な切換弁を設けたことを特徴とする請求項１の石抜機。
【請求項３】
前記バイパス通路は、前記送風機から傾斜下方側へ噴風されるように方向性のある噴風突起を配設したことを特徴とする請求項１又は２の石抜機。
【請求項４】
前記バイパス通路の傾斜下方側に、
選別運転中は前記送風機からの噴風が前記二次選別板へ導入されるように前記バイパス通路を閉鎖状態にし、残留穀粒排出中は残留穀粒が精品排出樋から排出されるように開放状態に切換可能な第二切換弁を設けたことを特徴とする請求項１乃至３の石抜機。
【請求項５】
前記バイパス通路の傾斜角度を、前記一次選別板又は前記二次選別板よりも急角度に設置したことを特徴とする請求項１乃至４の石抜機。
【発明の詳細な説明】
【技術分野】
【０００１】
本発明は、穀粒に混入した石を選別除去する石抜機に関し、特に運転を終了する際、選別板上に残留した穀粒を速やかに排出する機構に関する。
【背景技術】
【０００２】
穀粒に混入した石を選別除去する石抜機が知られている。このものは、底面に多数の小孔と突起とを有する選別板を機枠内に傾斜状態で配設したものである。そして、選別板は一次選別板と二次選別板（再選別用）からなり、これら選別板の下方に送風機を配設し、選別板を揺動させるとともに、送風機から選別板に風を送り込むことにより、選別板に供給された穀粒の中から石を選別板上で比重選別し、穀粒は選別板の傾斜下方に設けた精品排出樋から取り出される一方、比重の重い石は選別板の傾斜上方に設けた石排出樋から回収する構成になっている。
【０００３】
このような構成の石抜機においては、新たな原料の供給を停止して運転を終了する際に、選別板上の原料が少量になって一面に残留穀粒が拡散された状態になる。この残留穀粒は、一層状態であるため、このまま石抜機を運転し続けると、残留穀粒は前記突起の揺動作用によって傾斜上方へと送られ、選別板の傾斜下方側の精品排出樋からは排出されず、最終的に二次選別板の石排出樋から排出されることとなってしまう。
【０００４】
上述のように、残留穀粒を二次選別板の傾斜上方の石排出樋から排出させてもよいが、この場合、残留穀粒は揺動作用によって徐々に傾斜上方に逆らって上がっていくので、全ての残留穀粒を石排出樋から排出し終えるには、相当の時間がかかっていた。
【０００５】
そこで、運転を終了する際、選別板上の残留穀粒を迅速に排出すべく、エアを選別板上に吹きかけて残留穀粒を吹き飛ばす方法（特許文献１）や、選別板を開閉自在に構成し残留穀粒の排出経路を設ける方法(特許文献２)や、揺動方向（推進力の方向）を変えて残留穀粒を精品排出樋から排出させる方法（特許文献３）があったが、これら特許文献1乃至３の方法は、別途エアーコンプレッサや、開閉機構や、エアシリンダ等の設備を設ける必要があり、石抜機の構成が複雑になっていた。
【０００６】
そこで、本出願人は、一次選別板上に残った穀粒を機外排出するためのバイパス通路を設けるといった簡素な構成で、残留穀粒を迅速に排出する石抜機を出願した（特願２０１７−０４６８６３）。しかし、この石抜機は二次選別板の上段に一次選別板用のバイパス通路を重設しているため、二次選別板の下方に配設した送風機からの空気は二次選別板を介してバイパス通路に噴風されることになり、送風機とバイパス通路との距離が遠くなる。そのため、バイパス通路への噴風圧が弱まって、迅速に残留穀粒を排出するには改良の余地があった。
【先行技術文献】
【特許文献】
【０００７】
【特許文献１】特開平６−２９６９３４号公報
【特許文献２】特開２０００−１７６３８０号公報
【特許文献３】特許第４２６８４７８号公報
【発明の概要】
【発明が解決しようとする課題】
【０００８】
そこで、本発明は上記問題点にかんがみ、複雑な構成を用いることなく、運転を終了する際、選別板上の残留穀粒を迅速に排出することができる石抜機を提供することを技術的課題とするものである。
【課題を解決するための手段】
【０００９】
上記課題を解決するため本発明の石抜機は、
複数の多孔選別板を傾斜状態で配設するとともに、前記多孔選別板の下方に送風機を配設し、前記多孔選別板を揺動させるとともに、前記送風機から前記多孔選別板に風を送り込むことにより、前記多孔選別板上に供給される原料を選別する石抜機において、
前記多孔選別板は、一次選別板と二次選別板と残留排出用のバイパス通路とを有するとともに、前記一次選別板と前記二次選別板との間は連絡通路を介して連通させ、前記二次選別板の下段に、前記バイパス通路を重設する
という技術的手段を講じた。
【００１０】
請求項２によれば、前記二次選別板には、前記一次選別板から供給された原料を石排出口へ排出するか、前記バイパス通路へ供給するかを切換可能な切換弁を設けたことを特徴とする。
【００１１】
請求項３によれば、前記バイパス通路は、前記送風機から傾斜下方側へ噴風されるように方向性のある噴風突起を配設したことを特徴とする。
【００１２】
請求項４によれば、
前記バイパス通路の傾斜下方側に、
選別運転中は前記送風機からの噴風が前記二次選別板へ導入されるように前記バイパス通路を閉鎖状態にし、残留穀粒排出中は残留穀粒が精品排出樋から排出されるように開放状態に切換可能な第二切換弁を設けたことを特徴とする。
【００１３】
請求項５によれば、前記バイパス通路の傾斜角度を、前記一次選別板又は前記二次選別板よりも急角度に設置したことを特徴とする。
【発明の効果】
【００１４】
本発明の石抜機によれば、
二次選別板の下段にバイパス通路を重設し、バイパス通路を送風機の真上に設けたので、送風機から強い噴風を前記バイパス通路へ供給することができる。このため、運転終了する際の一次選別板上の残留排出が短時間に行える。また、装置が複雑化することもない。
【００１５】
また、前記二次選別板に、前記一次選別板から供給された原料を石排出口へ排出するか、バイパス通路へ供給するかを切換可能な切換弁を設けたので、石抜機の運転状態（選別中か残留穀粒排出中か）に応じて、原料の行先を変更できる。このため、残留排出の際には、前記バイパス通路を使用することで、残留排出が短時間に行える。
【００１６】
また、前記バイパス通路は、前記噴風突起を前記揺動作用によって穀粒を傾斜下方側へ移動させる形状の噴風突起を配設したので、小孔からの噴風方向が傾斜下方側になる。このため、噴風によって更に迅速に残留穀粒を排出することができる。
【００１７】
また、前記バイパス通路の傾斜下方の第二切換弁を、
選別運転中は前記送風機からの噴風が二次選別板へ導入されるように前記バイパス通路を閉鎖状態にし、残留穀粒排出中は残留穀粒が精品排出樋から排出されるように開放状態に切換可能な第二切換弁を設けたので、噴風場所（風の通り道）を変更することができる。このため、石抜機の運転状態（選別運転中か残留穀粒排出中か）に応じて二次選用送風機の噴風を適切に行える。
【００１８】
また、バイパス通路を急傾斜に設けたため、バイパス通路へ供給された残留穀粒は急傾斜による更なる加速作用が加わり、一層迅速に排出されることができる。
【図面の簡単な説明】
【００１９】
【図１】本発明の石抜機の断面図である。
【図２】石抜機の揺動部である。
【図３】石抜機の一次選別部の石の排出方向を示した図である。
【図４】二次選別板１２の周辺拡大図である。
【発明を実施するための形態】
【００２０】
本発明を実施するための形態を図面を参照しながら説明する。
図１は本発明の石抜機の断面図であり、図２は石抜機の揺動部であり、図３は石抜機の一次選別部の石の排出方向を示した図であり、図４は二次選別板１２の周辺拡大図である。
【００２１】
図１に示すように、石抜機１は箱状の外枠１０、該外枠１０の上部には米等の原料を投入するための投入口２、外枠１０の前面中央（図１において右側壁中央）には石等を分離した穀粒を排出するための精品排出樋４を、外枠１０の全面下部（図１において右側壁下部）には二次精品排出樋５をそれぞれ設けている。前記外枠１０内部には、投入口２から供給された原料から大きな夾雑物を排除するための粗選網１１を備える。
該粗選網１１の下方には、石抜機１の主要部である一次選別部１０１及び二次選別部１０２を設けてある。
前記一次選別部１０１は、主に、一次選別板３と該一次選別板３の下部に該一次選別板３に向けて送風する一次選用送風機１５から構成される。
また前記二次選別部１０２は、主に、二次選別板１２と該二次選別板１２の下部に該二次選別板１２に向けて送風する二次選用送風機１６から構成される。
【００２２】
前記一次選別板３及び前記二次選別板１２は傾斜配設し、駆動モータ（図示せず）と偏心カム１４によって揺動され、前記送風機（１５、１６）からの送風により選別板上で比重選別が行われる構成としている。
【００２３】
多数の小孔１７と噴風突起１８を設けた多孔選別板（３，１２）は、一次選別板３と二次選別板１２から構成され、一次選別板３により選別された石及び一部の穀粒は傾斜上方側に設けた石排出樋７及び連結通路８を経由して、前記二次選別板１２に供給される。
【００２４】
図１及び図３に示すように、一次選別板３の噴風突起１８aは、揺動作用によって穀粒が上方に移動するよう方向性のある形状とし、かつ、一次選用送風機１５からの噴風が傾斜上方側へ流れるように小孔１７aを配設している。一方で、一次選別板３の傾斜最上部には、集穀通路３aを形成し、該集穀通路３aの板面に一次選用送風機１５からの噴風が石排出樋７へ流れる向きの噴風突起１８aa及び小孔１7aaを配設している。
【００２５】
二次選別板１２の噴風突起１８bは、図１の（A）に示すように揺動作用によって穀粒が上方に移動するよう方向性のある形状とし二次選用送風機１６からの噴風が傾斜上方側へ流れる向きに配設してある。
【００２６】
前記二次選別板１２の傾斜上方には前記二次選別板１２により選別された石を排出する石排出口９を設け、傾斜下方には穀粒を排出する二次精品排出樋５を設ける。
【００２７】
石排出口９の上方には、前記外枠１０の一部を取り外すか、又は透明な部材で構成することにより、選別運転中の様子を外部から観察することが可能となる窓６を設けている。
【００２８】
このバイパス通路１２aは、二次選別板１２上に供給された穀粒を速やかに機外排出するための機能を有するもので、バイパス通路１２a傾斜下方の終端側が連絡シュート１２bを介して二次精品排出樋５と連通されている。
そして、二次選別板１２の傾斜上方には、一次選別板３から供給された原料を石排出口９へ排出するか、バイパス通路１２aへ供給するかを切換える切換弁１３aを設けてある。
なお、二次選別板１２及びバイパス通路１２aは、供給される原料が一次選別板３よりも少量のため、図２に示すように選別板の幅L２を一次選別板３の幅L１より狭くしてもよい。
【００２９】
図３は、選別運転時の一次選別板３における石の動きを示した模式図である。小孔１７aから噴き上げる噴風、噴風突起１８a及び揺動作用により、比重の大きい石は矢印Aのように一次選別板３の傾斜方向上方側に偏析して集穀通路３aに至り、集穀通路３aでは矢印Bのように中央に集まり、矢印Cのように石排出樋７を通って排出される。
【００３０】
図４は、二次選別板１２の周辺拡大図である。二次選別板１２は、二次選用送風機（図示せず）から傾斜上方へ噴風されるように、方向性のある噴風突起１８を構成する。
一方、バイパス通路１２aは、二次選用送風機（図示せず）から傾斜下方側へ噴風されるように方向性のある噴風突起１８を構成する。そのため、バイパス通路１２aには上方への押し上げ作用は働かないため、バイパス通路１２a上の残留穀粒は、速やかに二次精品排出樋５から機外排出される。
【００３１】
前記バイパス通路１２aは、選別運転終了後の残留穀粒を排出することが目的であるため、石と穀粒を選別する機能は不要である。よって、噴風突起１８は送風機からの噴風が傾斜下方側へ流れるように構成すればよく、噴風突起１８の形状、個数は任意に設定すればよい。また前記バイパス通路１２aは、前記一次選別板３及び前記二次選別板１２よりも急角度に取り付ければ、重力の作用を強く受けることができるのでより迅速に残留穀粒を二次精品排出樋５から排出することが可能となる。
【００３２】
バイパス通路１２aの傾斜下方には、選別運転中は前記二次選用送風機１６からの噴風が前記二次選別板１２へ導入されるように前記バイパス通路１２aを閉鎖状態にし（図４の（A））、残留穀粒排出中は残留穀粒が二次精品排出樋５から機外排出されるように開放状態（図４の（B））に切換可能な第二切換弁１３bを設ける。
【００３３】
本発明の石抜機１の作用を説明する。
【００３４】
投入口２から投入された原料は、揺動する粗選網１１により、大きな異物が取り除かれ、前記粗選網１１を通過した穀粒や石は一次選別板３上に落下し、揺動作用及び一次選用送風機１５からの噴風により比重選別される。
【００３５】
比重選別作用により、穀粒は一次選別板３の下方へ送られ精品排出樋４から機外排出される。一方、石及び一部の穀粒は一次選別板３の上方へ送られ、石排出樋７及び連結通路８を介して二次選別板１２へ供給される。
【００３６】
二次選別板１２へ供給された原料は、再度比重による選別を受け、穀粒は二次選別板１２の下方へ送られ二次精品排出樋５から機外排出される。一方、石は二次選別板１２の上方へ送られ、石排出口９から排出される。本石抜機１では、二次選別板１２を設けているため、一次選別板３で石と共に排出された穀粒を、二次選別板１２で再度選別により回収できるので、歩留りを上げることができる。
【００３７】
選別運転中の第二選別板１２上の切換弁１３aの位置と第二切換弁１３bの位置とは図４（A）のようになっている。このため、二次選用送風機１６からの噴風は、小孔１７ｃから閉領されたバイパス通路１２aの空間を通して二次選別板１２の小孔１７bに送風されるので、送風を効率よく行うことができる。
【００３８】
選別運転終了後、つまり選別板上が穀粒のみとなったタイミングで、切換弁１３aをバイパス１２a側を開放するように切換えると、残留穀粒は全て前記バイパス１２a側へ供給されるようになる。この際、前記バイパス１２aの小孔１７cからは二次精品排出樋５に向かって噴風されているので、残留穀粒は噴風により迅速に二次精品排出樋５から機外排出される。
【００３９】
残留穀粒排出中の第二選別板１２上の切換弁１３aの位置と、第二切換弁１３bの位置とは、図４（B）のようになっている。このため、二次選別用送風機１６からの噴風は、小孔１７cに直接送風でき、バイパス通路１２aへの噴風圧が弱まることがなく、迅速な残留排出が可能となる。
【産業上の利用可能性】
【００４０】
本発明の石抜機は、選別運転終了後の選別板上に残った残留穀粒を迅速に排出することができ、極めて有用である。
【符号の説明】
【００４１】
１    石抜機
２    投入口
３    一次選別板
４    精品排出樋
５    二次精品排出樋
６    窓
７    石排出樋
８    連結通路
９    石排出口
１０    外枠
１１    粗選網
１２    二次選別板
１２a   バイパス通路
１２b   連絡シュート
１３a   切換弁
１３b   第二切換弁
１４    偏心カム
１５    一次選用送風機
１６    二次選用送風機
１７a    小孔（一次選別板）
１７aa   小孔（一次選別板の傾斜最上部）
１７b    小孔（二次選別板）
１７c    小孔（バイパス通路）
１８a    噴風突起（一次選別板）
１８aa   噴風突起（一次選別板の傾斜最上部）
１８b    噴風突起（二次選別板）
１８c    噴風突起（バイパス通路）
１０１    一次選別部
１０２    二次選別部
【図１】
2019025411.tif 000003
【図２】
2019025411.tif 000004
【図３】
2019025411.tif 000005
【図４】
2019025411.tif 000006